(57)【要約】【課題】埋設された配管の漏水箇所を探索する。【解決手段】埋設された配管６００内にオゾンガス３００を供給する供給部１２０と、配管６００の周辺のオゾンガス３００の濃度を測定する測定部１３０と、測定されたオゾンガス３００の濃度の変化を認識し漏水箇所８００を通報する通報部１４０と、を備える。【選択図】図３
2015107707.tif 000002
【特許請求の範囲】
【請求項１】
埋設された配管内にオゾンガスを供給する供給部と、
前記配管の周辺のオゾンガスの濃度を測定する測定部と、
測定されたオゾンガスの濃度の変化を認識し漏水箇所を通報する通報部と、
を備える漏水探索装置。
【請求項２】
前記通報部は、漏水箇所付近のオゾンガスの濃度が、前記漏水箇所付近を除く他の箇所のオゾンガスの濃度よりも高くなるという特性を利用して、前記漏水箇所を通報する請求項１に記載の漏水探索装置。
【請求項３】
空気中の酸素から前記オゾンガスを生成する生成部をさらに備える請求項１または２に記載の漏水探索装置。
【請求項４】
前記供給部は、前記オゾンガスに空気を混合させて、前記オゾンガスを混合気体として前記配管内に供給する請求項３に記載の漏水探索装置。
【請求項５】
前記生成部に空気を送風する送風部と、
前記生成部による前記オゾンガスの生成、前記供給部による前記混合気体の供給、前記送風部による空気の送風、の少なくとも１つを制御する制御部と、
をさらに備える請求項４に記載の漏水探索装置。
【請求項６】
前記制御部は、
前記混合気体に含まれる前記オゾンガスの濃度を調整するオゾンガス濃度調整部と、
前記混合気体に含まれる前記オゾンガスの濃度を表示するオゾンガス濃度表示部と、
前記配管内に供給する前記混合気体の流量及び圧力を調整する流量圧力調整部と、
前記配管内に供給する前記混合気体の流量及び圧力を表示する流量圧力表示部と、
を備える請求項５に記載の漏水探索装置。
【請求項７】
前記測定部は、棒状の把持部と、前記把持部に取付けられたボックス部と、前記オゾンガスを検出する検出部と、を備え、
前記通報部は、前記ボックス部に収納されている請求項１〜６のいずれか一項に記載の漏水探索装置。
【請求項８】
前記検出部は、前記把持部の先端に取付けられている請求項７に記載の漏水探索装置。
【請求項９】
前記把持部は、中空棒状に形成されてその一端に吸入口を有し、
前記測定部は、前記把持部を介して吸入口付近の気体を吸引する吸引部をさらに備え、
前記検出部は、前記吸引部から吸引された気体から前記オゾンガスを検出する請求項７または８に記載の漏水探索装置。
【請求項１０】
測定されたオゾンガスの濃度に応じた音圧の音響を発生する音響発生部をさらに備える請求項１〜９のいずれか一項に記載の漏水探索装置。
【請求項１１】
埋設された配管内にオゾンガスを供給する供給段階と、
前記配管の周辺のオゾンガスの濃度を測定する測定段階と、
測定されたオゾンガスの濃度の変化を認識し漏水箇所を通報する通報段階と、
を含む漏水探索方法。
【請求項１２】
前記通報段階では、漏水箇所付近のオゾンガスの濃度が、前記漏水箇所付近を除く他の箇所のオゾンガスの濃度よりも高くなるという特性を利用して、前記漏水箇所を通報する請求項１１に記載の漏水探索方法。
【請求項１３】
空気中の酸素から前記オゾンガスを生成する生成段階をさらに含む請求項１１または１２に記載の漏水探索方法。
【請求項１４】
前記配管内の残存液体を外部に排出する排出段階と、
前記残存液体が排出された配管の所定区域を閉鎖する閉鎖段階と、
をさらに含み、
前記供給段階では、前記オゾンガスを閉鎖された所定区域の配管内に供給する請求項１１〜１３のいずれか一項に記載の漏水探索方法。
【発明の詳細な説明】
【技術分野】
【０００１】
本発明は、漏水探索装置および漏水探索方法に関する。
【背景技術】
【０００２】
給排水管は、地震などの自然災害による破損または長年の使用による老朽化によって漏水することがある。従来、給排水管の漏水箇所の調査は、作業者が音聴棒を使って漏水音を聴音し、漏水音から漏水箇所を推定している。【０００３】
しかし、漏水音から漏水箇所を推定する方法では、作業者は漏水音と酷似した雑音を聞き分ける熟練した技能を持たなければならず、その技能があったとしても、雑音の酷い作業環境下では漏水音を聞き分けることが困難である。【０００４】
このような問題を解決するための一つの手段として、下記特許文献１に開示されている発明がある。この発明では、漏水探索の前に、地表に漏れ出した希ガスが一時的に滞留できるように、地表において複数のカバーを配置している。漏水探索の際には、ガスボンベに圧縮収容され、空気に比して比重の小さい希ガスを配管内に供給する。希ガス探知器を用い、地表に配置したカバー内の希ガスの有無を検知することにより配管の漏水箇所を検出している。特許文献１記載の発明によれば、漏水音の有無に関係なく、漏水箇所を検出できる。
【先行技術文献】
【特許文献】
【０００５】
【特許文献１】特開平６−４３０６５号公報
【発明の概要】
【発明が解決しようとする課題】
【０００６】
しかしながら、特許文献１に開示されている発明では、空気よりも比重の小さい希ガスが地表に漏れ出してからすぐ空気中に拡散されないように、漏水探索の前に、地表において複数のカバーを配置するなどの付加作業が必要である。このため、長距離や広範囲の漏水探索の場合には、大量のカバーを配置する必要があり、手間とコストがかかり、作業性が非常に悪いという問題がある。【０００７】
本発明は、上記問題を鑑みてなされたものである。本発明の目的は、地表にカバーを設けるなどの付加作業をしなくても、配管の漏水箇所を確実に検知できる漏水探索装置および漏水探索方法を提供することである。
【課題を解決するための手段】
【０００８】
上記の目的を達成するための本発明に係る漏水探索装置は、供給部、測定部、通報部を備える。【０００９】
供給部は、埋設された配管内にオゾンガスを供給する。測定部は、配管の周辺のオゾンガスの濃度を測定する。通報部は、測定されたオゾンガスの濃度の変化を認識し漏水箇所を通報する。【００１０】
また、上記の目的を達成するための本発明に係る漏水探索方法は、埋設された配管内にオゾンガスを供給する供給段階と、配管の周辺のオゾンガスの濃度を測定する測定段階と、測定されたオゾンガスの濃度の変化を認識し漏水箇所を通報する通報段階と、を含む。
【発明の効果】
【００１１】
本発明に係る漏水探索装置および漏水探索方法によれば、漏水探索の際、配管内に供給するガスとして、土壌よりも比重が小さく、空気よりも比重が大きいオゾンガスを利用する。このため、配管の漏水箇所から地表に漏れ出したオゾンガスは地表付近に一時的に滞留するため、地表にカバーを設けるなどの付加作業を要しない。漏水箇所の地表付近に一時的に滞留するオゾンガスの濃度は、漏水箇所付近を除く他の箇所のオゾンガスの濃度よりも高くなるため、配管の周辺のオゾンガスの濃度の変化を認識することにより確実に漏水箇所を検出できる。【００１２】
したがって、本発明に係る漏水探索装置および漏水探索方法によれば、安価で作業性に優れた漏水探索を実現できる。
【図面の簡単な説明】
【００１３】
【図１】本実施形態に係る漏水探索装置の生成部および供給部のイメージを示す図である。
【図２】本実施形態に係る漏水探索装置の測定部および通報部の外観図である。
【図３】本実施形態に係る漏水探索装置を用いた漏水探索のイメージを示す図である。
【図４】漏水箇所付近のオゾンガスの濃度を示す図である。
【図５】本実施形態に係る漏水探索装置の動作フローチャートである。
【図６】変形例１に係る漏水探索装置の送風部、生成部、供給部および制御部のイメージを示す図である。
【図７】変形例２に係る漏水探索装置の測定部および通報部の外観図である。
【発明を実施するための形態】
【００１４】
以下、添付した図面を参照しながら、本発明の漏水探索装置および漏水探索方法の実施形態を詳細に説明する。
【００１５】
本実施形態に係る漏水探索装置及び漏水探索方法では、埋設された配管内にオゾンガスを供給する。オゾンガスは、土壌よりも比重が小さく空気よりも比重が大きい。このため、配管の漏水箇所から噴出されるオゾンガスは、地表に向けて漏れ出し、地表付近で自然と滞留する。
【００１６】
本実施形態に係る漏水探索装置及び漏水探索方法では、配管の周辺のオゾンガスの濃度を測定する。空気中には、常に一定濃度のオゾンガスが存在するが、上述のように、配管の漏水箇所から噴出されるオゾンガスは、地表付近で一時的に滞留する。このため、地表において、漏水箇所付近のオゾンガスの濃度は、漏水箇所付近を除く他の箇所のオゾンガスの濃度よりも高く測定される。
【００１７】
本実施形態に係る漏水探索装置及び漏水探索方法では、測定されたオゾンガスの濃度の変化を認識して漏水箇所を通報する。上述のように、漏水箇所付近のオゾンガスの濃度が、漏水箇所付近を除く他の箇所のオゾンガスの濃度よりも高いため、配管路に沿ってオゾンガスの濃度を測定すると、漏水箇所付近では濃度が著しく高く測定され、その付近から離れると濃度が著しく降下してもとのレベル程度に測定される。このため、測定されたオゾンガスの濃度の変化を認識することによって、配管の漏水箇所を特定できる。つまり、測定されたオゾンガスの濃度が極端に高い箇所の地中には、配管の漏水箇所があると特定できる。
【００１８】
[実施形態１]
〔漏水探索装置の構成〕
図１は、本実施形態に係る漏水探索装置の生成部および混合供給部のイメージを示す図であり、図２は、本実施形態に係る漏水探索装置の測定部および通報部の外観図である。図３は、本実施形態に係る漏水探索装置を用いた漏水探索のイメージを示す図である。
【００１９】
以下、図１〜３を参照して、漏水探索装置１００の構成を詳細に説明する。各図において、白矢印は、地表の空気２００を示し、黒矢印は、オゾンガス３００を示す。また、斜線付の矢印は、オゾンガス３００に空気２００を混合させた混合気体４００を示す。
【００２０】
漏水探索装置１００は、図３に示すように、生成部１１０、供給部１２０、測定部１３０、通報部１４０を備える。
【００２１】
生成部１１０は、図１に示すように、空気２００中の酸素からオゾンガス３００を生成する。生成部１１０は、たとえば、プラズマ放電することにより、空気２００中の酸素からオゾンガス３００を生成できる。ただし、オゾンガス３００を生成する方式はこれに限らず、空気２００を紫外線照射することや水を電離分解することによっても生成できる。なお、生成部１１０は、オゾンガス３００が空気２００中に拡散されないように、オゾンガス３００を外部から遮断して収容する。
【００２２】
供給部１２０は、図１に示すように、オゾンガス３００に空気２００を混合させて、混合気体４００を排出する。排出される混合気体４００は、図３に示すように、埋設された配管６００に注入弁５００を介して供給される。供給部１２０は、また、空気２００またはオゾンガス３００のいずれか一方だけを配管６００に供給できる。供給部１２０は、さらに、混合気体４００を圧縮して配管６００に供給できる。
【００２３】
供給部１２０は、生成部１１０と連接して接続される。供給部１２０は、空気２００とオゾンガス３００とを混合させるための混合空間（不図示）を有する。供給部１２０は、混合空間から混合気体４００を排出する際に生成される負圧により、空気２００およびオゾンガス３００を混合空間内に引き込むことができる。
【００２４】
測定部１３０は、図２に示すように、検出部１３１、把持部１３２、ボックス部１３３を備える。ボックス部１３３は、音響発生部１３４、音圧調整部１３５を備える。測定部１３０は、図３に示すように、地表７００において配管６００の周辺のオゾンガスの濃度を測定する。
【００２５】
検出部１３１は、把持部１３２の先端に取付けられ、地表７００の地表面の近いところでオゾンガスを検出する。検出部１３１は、たとえば、紫外線吸収方式によりオゾンガスを検出できる。ただし、オゾンガスを検出する方式はこれに限らず、薄膜半導体方式など他の方式によって検出してもよい。
【００２６】
把持部１３２は、棒状の形状を有し、通常の走行姿勢で把持される場合、先端が地表７００の地表面の近くに位置できる長さを有することが好ましい。ボックス部１３３は、直方体状のケースで、音響発生部１３４、音圧調整部１３５および通報部１４０等が収容されている。
【００２７】
音響発生部１３４は、検出されたオゾンガスの濃度に応じた大きさの音響を発生する。音圧調整部１３５は、音響の大きさを調整する。操作者は音響の大きさにより、配管６００の漏水箇所８００を特定できる。
【００２８】
通報部１４０は、図２に示すように、測定部１３０のボックス１３２内に取付ける。通報部１４０は、図３に示すように、測定されたオゾンガスの濃度の変化を認識し漏水箇所８００を通報する。漏水箇所８００に対応する地表７００の位置Ａ点においては、オゾンガスが一時的に滞留するため、測定部１３０が位置Ａ点以外の他の箇所で検出するオゾンガスの濃度よりも高い。通報部１４０は、測定部１３０により測定されたオゾンガスの濃度を表示することにより漏水箇所８００を通報する。また、音響発生部１３４により通報することもできる。なお、警報ランプ（不図示）を点灯させることにより通報することもできる。
【００２９】
上述した生成部１１０、供給部１２０、測定部１３０、通報部１４０は、それぞれ、それ自体を動作させるための電源スイッチや制御手段を有し、各々が単独動作できるようにしても良い。
【００３０】
また、漏水探索装置１００は、上述した生成部１１０、供給部１２０、測定部１３０、通報部１４０以外の構成部分を有してもよい。漏水探索装置１００は、たとえば、上述した生成部１１０、供給部１２０、測定部１３０、通報部１４０に電力を提供できる発電機を有してもよい。
【００３１】
さらに、漏水探索装置１００は、上述した生成部１１０、供給部１２０、測定部１３０、通報部１４０のうち、一部を有しなくてもよい。漏水探索装置１００は、たとえば、オゾンガスの充填されたガスボンベを利用する場合、生成部１１０を有しない。
【００３２】
〔漏水探索装置用いた漏水探索のイメージ〕
図３に示すように、地中には配管６００が埋設されている。配管６００には、地表７００から繋げられた注入弁５００が取付けられる。注入弁５００は、たとえば、地表に設けられた消火栓や蛇口や空気弁である。また、配管６００には、一定の距離をおいて配管６００を区切るための仕切弁９００が取り付けられる。仕切弁９００を開閉することにより、所定区域を開放または閉鎖できる。さらに、配管６００には、管内にたまった沈泥などを排除するための排泥弁（不図示）が取り付けられうる。配管６００内には、通常、水などの液体が流通し、配管６００に破損箇所があれば、漏水箇所８００で漏水が発生する。
【００３３】
本実施形態に係る漏水探索装置１００は、配管６００の所定区域内の残存液体を排出して当該所定区域を閉鎖した状態において、供給部１２０により注入弁５００を介して閉鎖された所定区域内にオゾンガス３００が混合された混合気体４００を供給する。測定部１３０により地表７００においてオゾンガスの濃度を測定しながら、配管路に沿って前進する。通報部１４０により測定されたオゾンガスの濃度の変化を認識し漏水箇所８００に対応する地表７００の位置Ａ点を特定する。
【００３４】
図４は、漏水箇所付近のオゾンガスの濃度を示す図である。この図において、縦軸は、測定部１３０により測定されるオゾンガスの濃度を示し、横軸は、位置Ａ点を中心とした水平距離を示す。
【００３５】
図を見れば明らかなように、測定部１３０により測定される、漏水箇所８００に対応する地表７００の位置Ａ点におけるオゾンガスの濃度は、他の箇所のオゾンガスの濃度よりも高い。本実施形態に係る漏水探索装置１００は、オゾンガスの濃度が極端に高い位置を探索する。
【００３６】
〔漏水探索装置の動作〕
次に、本実施形態に係る漏水探索装置１００の動作を説明する。図５は、本実施形態に係る漏水探索装置の動作フローチャートである。なお、図５に示した動作フローチャートは、本実施形態に係る漏水探索方法の手順を示すものでもある。
【００３７】
＜段階Ｓ１０１＞
図３に示した漏水探索装置１００の操作者は、配管６００内の残存液体を外部に排出する操作を実施する。操作者は、たとえば、配管６００の所定区域（以下、「漏水探索域」ともいう。）の両端に位置する仕切弁９００のうちの一方が完全に閉じ、他方がある程度開いているままの状態において、供給部１２０を注入弁５００に接続させて電源スイッチをオンにする。
【００３８】
供給部１２０は、配管６００内に空気２００を圧縮供給することにより、漏水探索域内の残存液体を強制的に排出する。ただし、漏水探索域内の残存液体を排出する方法はこれに限らず、漏水探索域の両端に位置する仕切弁９００の全てを完全に閉じ、排泥弁から漏水探索域内の残存液体を自然流下させることにより排出してもよい。
【００３９】
なお、漏水探索域内の残存液体を完全に排出する必要性は必ずしもなく、残存液体が存在する場合においても、後述するように、漏水探索域を閉鎖した後、残存液体は、供給部１２０からの混合気体４００の圧力により漏水箇所８００から混合気体４００とともに排出できる。
【００４０】
＜段階Ｓ１０２＞
操作者は、図３に示すように、漏水探索域の両端に位置する仕切弁９００の両方を完全に閉じ、漏水探索域を閉鎖する。漏水探索域が閉鎖されると、漏水探索域内は、徐々に空気２００により充填されて圧力が増加され、漏水箇所８００から空気２００が噴出される。なお、漏水探索域内の残存液体が残されている場合、残された残存液体も漏水箇所８００から噴出されうる。
【００４１】
＜段階Ｓ１０３＞
操作者は、漏水探索するために、漏水探索装置１００の各構成部分を初期調整する。操作者は、たとえば、供給部１２０を調整して、空気２００の供給を一時止めるか供給量を減らすことができる。操作者は、また、配管６００の口径や漏水探索域の距離に応じて、生成部１１０を調整し、漏水探索の際のオゾンガスの生成量を調整できる。操作者は、さらに、測定部１３０および通報部１４０の電源スイッチをオンにして、地表７００の空気中に含まれるオゾンガスを検出し、空気中のオゾンガスの濃度を確認し、漏水箇所８００を検出するためのオゾンガスの濃度の検出閾値を調整できる。
【００４２】
＜段階Ｓ１０４＞
操作者は、生成部１１０の電源スイッチをオンにする。生成部１１０は、空気２００中の酸素からオゾンガス３００を生成する。生成されたオゾンガス３００は、供給部１２０の混合空間の負圧により供給部１２０内に引き込まれる。
【００４３】
＜段階Ｓ１０５＞
供給部１２０は、オゾンガス３００に空気２００を混合させて、混合気体４００を配管６００内に供給する。供給部１２０は、漏水探索の初期段階では、オゾンガス３００のみを配管６００内に供給し、徐々に空気２００を混合させて、混合気体４００を配管６００内に供給することもできる。配管６００内に供給された混合気体４００は、漏水箇所８００から噴出され、地表７００まで漏れ出る。
【００４４】
＜段階Ｓ１０６＞
操作者は、測定部１３０の把持部１３２の先端に取付けた検出部１３１を地表面の付近に位置させ、配管６００の配管路に沿って測定部１３０を移動させながら配管６００の漏水箇所８００を探索する。配管路は、通常、設計図面や隣接するマンホールの位置などから予め知ることができる。
【００４５】
測定部１３０は、地表７００において、配管６００の周辺のオゾンガスの濃度を測定する。通報部１４０は、測定されたオゾンガスの濃度をリアルタイムに表示する。音響発生部１３４は、測定されたオゾンガスの濃度に応じた音圧の音響を発生する。
【００４６】
図４に示したように、配管６００の漏水箇所８００では、混合気体４００が噴出され、噴出された混合気体４００に含まれるオゾンガスが地表７００の位置Ａ点付近に一時的に滞留するため、位置Ａ点付近のオゾンガスの濃度は、周辺よりも極端に高くなる。このため、配管６００の配管路に沿って測定されるオゾンガスの濃度は、ある位置付近では著しく上昇し、その位置付近から離れると著しく降下して再びもとのレベルまで戻る。したがって、通報部１４０は、測定されたオゾンガスの濃度の上記の変化を認識することにより、漏水箇所８００の対応する地表７００の位置Ａ点を特定できる。ただし、通報部１４０が漏水箇所８００の対応する地表７００の位置Ａ点を特定する方法はこれに限らず、測定されるオゾンガスの濃度が所定閾値よりも大きい位置を認識することにより特定することもできる。
【００４７】
＜段階Ｓ１０７＞
通報部１４０は、漏水箇所８００が検出されたか否かについて判断する。通報部１４０は、地表７００の位置Ａ点を特定できると、漏水箇所８００が検出されたと判断できる。通報部１４０は、漏水箇所８００が検出されなかったときには、段階Ｓ１０６に移行して、その先の配管６００の配管路上の漏水箇所８００を同じ方法で探索する。
【００４８】
＜段階Ｓ１０８＞
通報部１４０は、漏水箇所８００が検出されたときには、操作者に漏水箇所８００の検出を通報する。漏水箇所８００の検出の通報は、通報部１４０に「漏水検出」という表示を出力することにより行っても良いし、音響発生部１３４から警報音を出力することにより行っても良い。なお、警報ランプを点灯させることにより漏水箇所８００の検出を通報することもできる。
【００４９】
以上のように、本実施形態に係る漏水探索装置および漏水探索方法によれば、漏水探索するために配管内に供給するガスとして、土壌よりも比重が小さく空気よりも比重が大きいオゾンガスを利用する。このため、漏水探索をするために地表にカバーを設けるなどの付加作業を要せず、容易に漏水箇所を検出できる。
【００５０】
また、本実施形態に係る漏水探索装置および漏水探索方法によれば、漏水探索の都度、空気中の酸素からオゾンガスを生成する。このため、高価な希ガスなどの用意や重たいガスボンベなどを現場に移動させる必要がなく、安価で手軽に漏水箇所を検出できる。
【００５１】
[変形例１]
上記実施形態１において、生成部１１０の生成するオゾンガス３００は、供給部１２０の混合空間から混合気体４００を排出する際に生成される負圧により、消極的に供給部１２０の混合空間内に引き込まれて空気２００と混合される。しかし、本発明はこれに限らず、オゾンガス３００を積極的に供給部１２０の混合空間に送り込んでもよい。以下、オゾンガス３００を積極的に供給部１２０の混合空間に送り込む構造について説明する。
【００５２】
図６は、変形例１に係る漏水探索装置の生成部、供給部、送風部および制御部のイメージを示す図である。
【００５３】
図に示すように、漏水探索装置は、上述の実施形態と同様の生成部１１０、供給部１２０を備えるほか、さらに送風部１５０、制御部１６０を備える。
【００５４】
送風部１５０は、空気２００を生成部１１０に送風する。送風部１５０は、生成部１１０と連接して接続され、空気２００を圧縮して、圧縮空気２０１を生成部１１０に送風する。生成部１１０は、圧縮空気２０１中の酸素からオゾンガス３００を生成する。生成されたオゾンガス３００は、供給部１２０に送り込まれる。
【００５５】
制御部１６０は、電気配線を介して生成部１１０、供給部１２０および送風部１５０と接続する。制御部１６０は、生成部１１０によるオゾンガス３００の生成、供給部１２０による混合気体４００の供給、送風部１５０による空気２００の送風の少なくとも１つを制御する。
【００５６】
制御部１６０は、オゾンガス濃度調整部１６１、オゾンガス濃度表示部１６２、流量圧力調整部１６３、流量圧力表示部１６４を備える。
【００５７】
オゾンガス濃度調整部１６１は、送風部１５０による空気２００の送風量および生成部１１０によるオゾンガス３００の生成量を制御することにより、混合気体４００に含まれるオゾンガス３００の濃度を調整する。オゾンガス濃度表示部１６２は、供給部１２０の混合空間内の混合気体４００に含まれるオゾンガス３００の濃度を表示する。
【００５８】
流量圧力調整部１６３は、供給部１２０による混合気体４００の供給量や供給部１２０の混合空間に直接引き込まれる空気２００の引き込む量を制御することにより、配管６００に供給される混合気体４００の流量および圧力を調整できる。流量圧力表示部１６４は、配管６００に供給される混合気体４００の流量および圧力を表示する。
【００５９】
以上のように、変形例１に係る漏水探索装置は、さらに送風部１５０および制御部１６０を有することにより、配管６００に供給される混合気体４００に含まれるオゾンガスの濃度や混合気体４００自体の流量圧力などを調整できる。このため、配管６００内の圧力が高すぎて配管６００自体が破損されることや地表７００への濃度の高すぎるオゾンガスの過量の漏れ出しを防止できる。
【００６０】
[変形例２]
上記実施形態１において、測定部１３０の検出部１３１は、地表７００の地表面に一時的に滞留される漏水箇所８００から噴出されたオゾンガスを容易に検出するために、把持部１３２の先端に取付けられている。しかし、本発明はこれに限らず、検出部１３１は、把持部１３２の先端から離れて取り付けても良い。以下、変形例２に係る漏水探索装置の測定部１３０について説明する。
【００６１】
図７は、変形例２に係る漏水探索装置の測定部および通報部の外観図である。
【００６２】
図に示すように、測定部１３０は、検出部１３１、把持部１３２、ボックス部１３３を備える。ボックス部１３３には、音響発生部１３４、音圧調整部１３５、吸引部１３６を備える。
【００６３】
検出部１３１は、上述の実施形態１と同様のものを使用できるが、検出部１３１の取付け位置は上述の実施形態１とは異なり、把持部１３２の先端ではなく、ボックス部１３３に収容されている。ただし、検出部１３１の取付け位置はこれに限らず、把持部１３２の先端から一定の距離離れて取り付けてもよい。
【００６４】
把持部１３２は、中空棒状に形成されてその一端に吸入口を有し、通常の走行姿勢で把持される場合、先端が地表７００の地表面の近くに位置できる長さを有することが好ましい。
【００６５】
ボックス部１３３は、直方体状のケースで、音響発生部１３４、音圧調整部１３５、吸引部１３６および通報部１４０等が収容されている。音響発生部１３４、音圧調整部１３５および通報部１４０は、上述の実施形態１と同様のものが使用できる。
【００６６】
吸引部１３５は、把持部１３２を介して吸入口付近の気体を吸引する。吸引部１３５は、地表７００の地表面に一時的に滞留される漏水箇所８００から噴出されたオゾンガスを検出部１３１の位置まで吸引する。検出部１３１は、吸引された気体からオゾンガスを検出する。
【００６７】
以上のように、変形例２に係る漏水探索装置は、一端に吸入口を有する中空棒状の把持部１３２および吸引部１３５を有することにより、地表面付近の気体を吸引できる。このため、検出部１３１を把持部１３２の先端から離れるところに取付けることができ、漏水探索中に検出部１３１が、地表の石などに突き当たることで破損することや水たまりに浸水されることで壊れることが防止できる。
【００６８】
以上、本発明の好適な実施形態を説明したが、これらは本発明の説明のための例示であり、本発明の範囲をこれらの実施形態にのみ限定する趣旨ではない。本発明は、その要旨を逸脱しない範囲で、上記実施形態とは異なる種々の態様で実施することができる。
【符号の説明】
【００６９】
１００  漏水探索装置、
１１０  生成部、
１２０  供給部、
１３０  測定部、
１３１  検出部、
１３２  把持部、
１３３  ボックス部、
１３４  音響発生部、
１３５  音量調整部、
１３６  吸引部、
１４０  通報部、
１５０  送風部、
１６０  制御部、
１６１  オゾンガス濃度調整部、
１６２  オゾンガス濃度表示部、
１６３  流量圧力調整部、
１６４  流量圧力表示部、
２００  空気、
３００  オゾンガス、
４００  混合気体、
５００  注入弁、
６００  配管、
７００  外部、
８００  漏水箇所、
９００  仕切弁。
【図１】
2015107707.tif 000003
【図２】
2015107707.tif 000004
【図３】
2015107707.tif 000005
【図４】
2015107707.tif 000006
【図５】
2015107707.tif 000007
【図６】
2015107707.tif 000008
【図７】
2015107707.tif 000009
【手続補正書】
【提出日】平成26年11月20日(2014.11.20)
【手続補正１】
【補正対象書類名】特許請求の範囲
【補正対象項目名】全文
【補正方法】変更
【補正の内容】
【特許請求の範囲】
【請求項１】
地中及び構造体に埋設された配管内にオゾンガスを供給する供給部と、
漏水探索箇所において前記配管の周辺のオゾンガスの濃度を測定する測定部と、
測定されたオゾンガスの濃度の変化を認識し漏水箇所を通報する通報部と、
を備え、
前記通報部は、前記配管の漏水箇所から噴出され漏れ出したオゾンガスが漏水箇所に一時的に自然と滞留することにより、漏水箇所付近のオゾンガスの濃度が、前記漏水箇所付近を除く他の箇所のオゾンガスの濃度よりも高くなるという特性を利用して、前記漏水箇所を通報する漏水探索装置。
【請求項２】
（削除）
【請求項３】
空気中の酸素から前記オゾンガスを生成する生成部をさらに備える請求項１または２に記載の漏水探索装置。
【請求項４】
前記供給部は、前記オゾンガスに空気を混合させて、前記オゾンガスを混合気体として前記配管内に供給する請求項３に記載の漏水探索装置。
【請求項５】
前記生成部に空気を送風する送風部と、
前記生成部による前記オゾンガスの生成、前記供給部による前記混合気体の供給、前記送風部による空気の送風、の少なくとも１つを制御する制御部と、
をさらに備える請求項４に記載の漏水探索装置。
【請求項６】
前記制御部は、
前記混合気体に含まれる前記オゾンガスの濃度を調整するオゾンガス濃度調整部と、
前記混合気体に含まれる前記オゾンガスの濃度を表示するオゾンガス濃度表示部と
前記配管内に供給する前記混合気体の流量及び圧力を調整する流量圧力調整部と、
前記配管内に供給する前記混合気体の流量及び圧力を表示する流量圧力表示部と、
を備える請求項５に記載の漏水探索装置。
【請求項７】
前記測定部は、棒状の把持部と、前記把持部に取付けられたボックス部と、前記オゾンガスを検出する検出部と、を備え、
前記通報部は、前記ボックス部に収納されている請求項１〜６のいずれか一項に記載の漏水探索装置。
【請求項８】
前記検出部は、前記把持部の先端に取付けられている請求項７に記載の漏水探索装置。
【請求項９】
前記把持部は、中空棒状に形成されてその一端に吸入口を有し、
前記測定部は、前記把持部を介して吸入口付近の気体を吸引する吸引部をさらに備え、
前記検出部は、前記吸引部から吸引された気体から前記オゾンガスを検出する請求項７または８に記載の漏水探索装置。
【請求項１０】
測定されたオゾンガスの濃度に応じた音圧の音響を発生する音響発生部をさらに備える請求項１〜９のいずれか一項に記載の漏水探索装置。
【請求項１１】
地中及び構造体に埋設された配管内にオゾンガスを供給する供給段階と、
漏水探索箇所において前記配管の周辺のオゾンガスの濃度を測定する測定段階と、
測定されたオゾンガスの濃度の変化を認識し漏水箇所を通報する通報段階と、
を含み、
前記通報段階では、前記配管の漏水箇所から噴出され漏れ出したオゾンガスが漏水箇所に一時的に自然と滞留することにより、漏水箇所付近のオゾンガスの濃度が、前記漏水箇所付近を除く他の箇所のオゾンガスの濃度よりも高くなるという特性を利用して、前記漏水箇所を通報する漏水探索方法。
【請求項１２】
（削除）
【請求項１３】
空気中の酸素から前記オゾンガスを生成する生成段階をさらに含む請求項１１または１２に記載の漏水探索方法。
【請求項１４】
前記配管内の残存液体を外部に排出する排出段階と、
前記残存液体が排出された配管の所定区域を閉鎖する閉鎖段階と、
をさらに含み、
前記供給段階では、前記オゾンガスを閉鎖された所定区域の配管内に供給する請求項１１〜１３のいずれか一項に記載の漏水探索方法。
【国際調査報告】
2015107707.tif 000010
2015107707.tif 000011
2015107707.tif 000012
2015107707.tif 000013